(57)【要約】【課題】待機状態における消費電力を削減することができ、また、低コストを実現しながら、待機状態に画像処理装置のカバー開閉を検出することができる画像処理装置を提供することを目的とするものである。【解決手段】本体から着脱可能な現像剤容器と、現像剤容器を本体から着脱させる開閉カバーと、低圧電源部で生成された直流電圧を電源とし、画像形成を制御する制御回路部と、制御回路部の制御のもとで、直流電圧から高圧電圧を生成する高圧電源部と、低圧電源部と高圧電源部との間に接続され、開閉カバーの動作に応じて、直流電圧のオン・オフを制御するメカニカルスイッチと、メカニカルスイッチのオン・オフを検知する状態検出手段と、開閉カバーの開放、または現像剤容器内の現像剤無しのいずれかを検出するセンサ手段とを有する画像処理装置である。【選択図】　図１
2004077830.tif 000002
【特許請求の範囲】
【請求項１】
現像剤を収容し、本体から着脱可能な現像剤容器と；
上記現像剤容器を本体から着脱させる開閉カバーと；
交流電源から直流電圧を生成する低圧電源部と；
上記低圧電源部で生成された直流電圧を電源とし、画像形成を制御する制御回路部と；
上記制御回路部の制御のもとで、上記直流電圧から高圧電圧を生成する高圧電源部と；
上記低圧電源部と上記高圧電源部との間に接続され、上記開閉カバーの動作に応じて、上記直流電圧のオン・オフを制御するメカニカルスイッチと；
上記メカニカルスイッチのオン・オフを検知する状態検出手段と；
上記開閉カバーの開放、または上記現像剤容器内の現像剤無しのいずれかを検出するセンサ手段と；
を有することを特徴とする画像処理装置。
【請求項２】
請求項１において、
上記状態検出手段が、上記メカニカルスイッチのオン状態を検出し、しかも、上記センサ手段が、上記開閉カバーの開放、または上記現像剤無しのいずれかを検出した場合、上記制御回路部は、上記開閉カバーが閉じ、しかも現像剤が無しであると判断する回路部であることを特徴とする画像処理装置。
【請求項３】
請求項２において、
上記状態検出手段が、上記メカニカルスイッチのオン状態を検出し、しかも、上記センサ手段が、上記開閉カバーの開放、または上記現像剤無しのいずれかでないことを検出した場合、上記制御回路部は、上記開閉カバーが閉じ、しかも上記現像剤が有ると判断する回路部であることを特徴とする画像処理装置。
【請求項４】
請求項３において、
上記低圧電源部と上記メカニカルスイッチとの間に接続され、上記制御回路部の制御のもとで、上記低圧電源部から上記メカニカルスイッチに供給される上記直流電圧のオン・オフを制御する半導体スイッチング素子を有し、
上記制御回路部は、上記画像処理装置のスタンバイ中に、上記半導体スイッチング素子をオフし、上記画像処理装置の動作中に、上記半導体スイッチング素子をオンとする回路部であることを特徴とする画像処理装置。
【請求項５】
請求項４において、
上記制御回路部は、上記半導体スイッチング素子がオフであり、しかも上記センサ手段が、上記開閉カバーの開放または上記現像剤の無しのいずれかを検出したときに、上記半導体スイッチング素子をオンする回路部であることを特徴とする画像処理装置。
【請求項６】
請求項５において、
上記制御回路部は、上記半導体スイッチング素子がオフであり、しかも上記センサ手段が上記開閉カバーの開放、または上記現像剤の無しのいずれかを検出したときに、上記半導体スイッチング素子をオンした後に、上記状態検出手段を評価し、上記状態検出手段が上記メカニカルスイッチのオフ状態を検出した場合は、上記開閉カバーが開放かつ上記現像剤有りであると判断し、上記状態検出手段が上記メカニカルスイッチのオン状態を検出した場合は、上記開閉カバーが閉であり、しかも上記現像剤無しであると判断する回路部であることを特徴とする画像処理装置。
【発明の詳細な説明】
【０００１】
【発明の属する技術分野】
本発明は、画像処理装置に関し、特に電子写真方式を用いた画像処理装置に関する。
【０００２】
【従来の技術】
現在、この種の画像処理装置を適用したファクシミリ装置は、通信回線を通じた他の画像処理装置または通信装置との接続と、通信、コピーのための画像の記録、画像の読み取りと、外部コンピュータとの間でのファクシミリ装置の通信、記録、読み取りとの各手段の共有化等の形態で用いられている。そして、上記形態で動作を行っているとき以外の状態では、待機状態になっている。
【０００３】
そして、上記ファクシミリ装置では、ユーザが設定できる電源スイッチがオン状態であるときに、待機時または動作時に拘らず、商用交流電源または自家発電交流電源の出力が、ファクシミリ装置の低圧電源によって装置内の電気素子に供給される電圧（以下、「直流電圧」と呼ぶ）に変換される。このようにして、装置内の全ての電気素子に直流電圧が供給されている。
【０００４】
このために、ファクシミリ装置の動的な通常の動作が何ら行われていない待機状態であっても、通常の動作時と同様に、電力が消費されている。この待機状態での電力消費を抑える方法の１つとして、待機中は、上記直流電圧への変換動作を少なくとも一部中止し、部分的な電気素子に対する通電を行わないようにしている。
【０００５】
具体的には、少なくとも電子写真プロセスで使用する高圧電源回路に供給する直流電圧をＯＦＦするようにしている。このように、電力の消費を抑える動作を、「低消費電力動作モード」と呼び、通常の動作で電力を供給する動作を、「通常動作モード」と呼ぶ。
【０００６】
そして、各電気素子の電源である低圧電源は、通常動作モードから低消費電力動作モードへの遷移があると、各電気素子への電力供給を一部中止する。低消費電力モード中に、通常動作モードへの復帰信号が入力されると、低消費電力動作モードから通常動作モードへ復帰される。
【０００７】
また、低消費電力動作モードにおいては、電力消費を極力抑えた状態で、通常動作モードへの復帰信号のみを受付ける状態を確立する。上記復帰信号は、通信回線を通じたＣＩ信号の検出、電話機のオフフックの検出、読み取り原稿有無検出、または、外部インタフェースを通じた外部コンピュータからの起動命令、操作部からのキー入力によって生成される。そして、通常動作モードへの復帰と全素子への通電とが再開される。
【０００８】
上記方法を実施することによって、待機状態の期間に、消費電力を大きく削減する。
【０００９】
【発明が解決しようとする課題】
ここで、高圧電源出力は、転写ローラと本体から着脱可能な現像剤容器とに印加され、現像剤容器を本体から取り出すために装置カバー等を開ける際、その出力部分にユーザが触れることができる。このときに、ユーザが触れても高圧出力が発生しないよう、カバーを開けた際には、ソフトウェアの介在無しに強制的に高圧出力が停止する構成が採用されている。
【００１０】
具体的には、装置カバーを開けると、低圧電源部から高圧電源に供給される直流電圧をＯＦＦするＳＷが設けられている。なお、装置カバーの開閉をソフト的に検出する方法があり、その検出方法の１つとして、高圧電源に入力される直流電圧を分圧し、その分圧レベルに基づいて、装置カバーの状態を検出する方法が知られている。
【００１１】
しかし、この方法を採用した場合、低消費電力動作モードにおいて直流電圧がＯＦＦされているので、装置カバーが常に開の状態になる。
【００１２】
このために、従来例において、低消費電力動作モード時に、装置カバーの開閉をチェックしていないので、通常動作モードでの装置カバーオープン時には、その旨がユーザに報知されているにもかかわらず、低消費電力動作モードでの装置カバーオープン時には、その旨をユーザに報知できないという問題がある。
【００１３】
この問題を解決するために、従来例において、低消費電力モード時に装置カバーの開放を検出する専用のセンサを設けることが考えられるが、これは、非常にコストアップになるという別の問題が生じる。
【００１４】
本発明は、待機状態における消費電力を削減することができ、また、低コストを実現しながら、待機状態に画像処理装置のカバー開閉を検出することができる画像処理装置を提供することを目的とするものである。
【００１５】
【課題を解決するための手段】
本発明は、現像剤を収容し、本体から着脱可能な現像剤容器と、上記現像剤容器を本体から着脱させる開閉カバーと、交流電源から直流電圧を生成する低圧電源部と、上記低圧電源部で生成された直流電圧を電源とし、画像形成を制御する制御回路部と、上記制御回路部の制御のもとで、上記直流電圧から高圧電圧を生成する高圧電源部と、上記低圧電源部と上記高圧電源部との間に接続され、上記開閉カバーの動作に応じて、上記直流電圧のオン・オフを制御するメカニカルスイッチと、上記メカニカルスイッチのオン・オフを検知する状態検出手段と、上記開閉カバーの開放、または上記現像剤容器内の現像剤無しのいずれかを検出するセンサ手段とを有する画像処理装置である。
【００１６】
【発明の実施の形態および実施例】
図１（１）、（２）は、本発明の一実施例である画像処理装置ＩＰ１の外観図である。
【００１７】
図２は、画像処理装置ＩＰ１の要部断面図である。
【００１８】
図３は、画像処理装置ＩＰ１において、プロセスカートリッジ２８の交換や転写材のジャム処理等のために、読取操作部５３を開いた状態を示す要部断面図である。
【００１９】
次に、画像処理装置ＩＰ１の構成と動作とについて説明する。
【００２０】
画像処理装置ＩＰ１は、画像処理装置本体１を有し、画像処理装置本体１の内部に、原稿搬送部２、読取部３、光学部４、画像形成部５、転写材搬送部６、画像定着部７、通信部８、操作部９、表示部１０、制御部１１等を有する。
【００２１】
図５は、上記実施例における原稿搬送部２と読取部３との要部を示す断面図である。
【００２２】
原稿搬送部２は、原稿載置台１２上に原稿Ｓを置き、スライダ６０を原稿Ｓの幅にあわせて設定する。
【００２３】
原稿載置台１２上に原稿Ｓを積載したときに、原稿Ｓは、予備圧接アーム２ｆとそれに圧接した分離ローラ２ａとに挟まれ、ストッパー２ｐのストップ面２ｚに突き当たる。原稿Ｓの有無に応じて、原稿検知アクチュエータ２ｍが動作し、原稿検知アクチュエータ２ｍの状態がフォトインタラプタを使用した原稿センサ２ｘによって検知される。
【００２４】
原稿センサ２ｘが原稿Ｓの有りを検出した状態で、読み取り指示が行われると、読み取りモータ（不図示）が駆動され、ストッパー２ｐが、開放原付給送コロ２ｄの回転によって開放され、予備圧接アーム２ｆとそれに圧接した分離ローラ２ａとによって、摩擦片２ｋ部まで送られ、摩擦片２ｋと圧接した分離ローラ２ａとで、１枚ずつ分離・給送される。
【００２５】
そして、押圧バネ２ｊによって押圧された給送コロ２ｄと圧接した給紙ローラ２ｂとによって、密着型イメージセンサ（コンタクトセンサ）１４に搬送されると、密着型イメージセンサ１４は、ＬＥＤアレイを光源として原稿Ｓの画像情報面に光を照射し、その反射光を、セルフォックレンズでセンサ素子に結像し、画像情報を読み取る。
【００２６】
センサ素子によって光学的に読み取られた画像情報は、電気的なデータに変換され、シェーディング補正、Ａ／Ｄ変換、２値化、中間調等の処理を施し、高精細な画像データとして出力される。
【００２７】
そして、その後、光学部４または本装置の通信部に送られ、記録または送信が行われる。順次、原稿をライン送りしながら、密着型イメージセンサ１４が原稿Ｓの画像情報を読み取った後、押圧バネ２ｊによって押圧された排紙コロ２ｅと圧接した排紙ローラ２ｃとによって、原稿／記録紙共用排紙トレイ１３に、原稿Ｓを排出する。この間、上原稿ガイド５６と下原稿ガイド５９とによって、原稿Ｓがガイドされる。
【００２８】
記録部では、光学部４、画像形成部５等の電子写真プロセスによって画像データを可視像化し、転写材上に転写を行う。
【００２９】
図４は、上記実施例における光学部４の概略を示す図である。
【００３０】
光学部４では、画像処理装置ＩＰ１の制御部から送られる画像信号に従って、レーザスキャナ１６のレーザダイオード１７を発光させ、レーザビームを変調させ、出力する。変調されたレーザビームは、コリメータレンズ１８によって平行光に変換された後に、ポリゴンモータ４４の回転によって、一定速度で回転するポリゴンミラー１９に入射される。
【００３１】
ポリゴンミラー１９から反射されたレーザビームは、ポリゴンミラー１９の前に配置されている結像レンズ２０によって、ミラー４５を介して、感光ドラム２１上に焦点を結ぶ。
【００３２】
ポリゴンミラー１９が一定速度で回転すると、感光ドラム２１上のレーザビームは、一定速度で感光ドラム２１上を走査する。感光ドラム２１が一定速度で回転し、しかもレーザビームが一定速度で感光ドラム２１上を走査すると、感光ドラム２１上に、静電潜像が形成される。
【００３３】
レーザビームの光路中に、固定ミラー４６が配置され、走査開始位置に到達したレーザビームは、固定ミラー４６によって反射され、受光素子４７に入射される。
【００３４】
入射された光は、受光素子４７によって電流に変換され、さらに電流−電圧変換され、水平同期信号の生成に用いられる。
【００３５】
画像形成部５は、導電ドラムと光導電層で構成される感光体ドラム２１との周りに、一次帯電器２２、現像器２３、転写帯電器２４、ブレード方式のクリーニング器２５が構成されている。
【００３６】
ここで、感光体ドラム２１、一次帯電器２２、現像器２３、クリーニング器２５は、現像剤回収容器２７とともに、画像処理装置本体１の取付部材中に着脱自在に取り付けられているプロセスカートリッジ２８として、一体的に収納されている。
【００３７】
さて、感光体ドラム２１、一次帯電器２２、現像器２３内の現像スリーブ２３ａ、転写帯電器２４は、モータＭ２によって駆動される。駆動された感光ドラム２１は、一次帯電器２２の通過によって、その表面を均一にマイナスに直接帯電された後に、レーザダイオード１７によってレーザ光を受け、露光される。このレーザ光の照射によって、明部のマイナス電荷が中和され、静電潜像が形成される。
【００３８】
そして、上記静電潜像は、現像室４０ｂを介して、トナー室４０ａから、現像器２３中の供給される現像剤Ｔに近接すると、マイナス帯電した現像剤Ｔが、潜像と現像器２３との間の電位差に応じて、感光ドラム２１の表面にジャンプし、可視像化される。
【００３９】
そして、転写帯電器２４によってプラス電荷をかけ、感光体ドラム上のトナー像を転写材Ｐ上に転写する。また、転写が終了した感光体ドラム２１表面は、クリーニング器２５によって残留トナーが除去された後に、一次帯電器２２によってドラム電位が均一にされ、次の静電潜像の形成に備える。
【００４０】
ドラム表面から除去された残留トナーは、クリーニング器２５によって現像剤回収容器２７に回収される。ここで、トナー室４０ａの現像剤Ｔの有無を検出するために、磁気ブリッジセンサ７０が、画像処理装置ＩＰ１本体側に取り付けられている。
【００４１】
図６は、上記実施例における磁気ブリッジセンサ７０を示す斜視図である。
【００４２】
図６に示すように、センサ本体の一部分の上に、検知ヘッド７０ａが円柱状にのっている形状で一体になっており、入出力用の信号線７０ｂによって、画像処理装置本体１の制御回路と接続され、現像剤Ｔの有無が検出される。
【００４３】
転写材搬送部６では、多数の転写材を収納可能な記録紙載置台２９が、装置本体１の所定部に配置され、記録紙フィーダ３０から記録紙が搬送される。また、記録紙フィーダ３０には、記録紙ガイド６１が備えられ、このガイドを転写材Ｐの幅に合わせることによって、斜行を防止する。
【００４４】
記録紙載置台２９にセットされた転写材Ｐを搬送する場合、給紙ソレノイドＳＬ１（不図示）の駆動によって、モータＭ２の駆動を半円状の給紙ローラ２９ａに伝え、この回転によって、転写材Ｐを１枚ずつ分離する。分離された転写材Ｐは、搬送ローラ３１ａによって搬送され、レジセンサ３５（不図示）によって先端位置を検知する。この先端検知に同期して、感光体ドラム２１上に形成されるトナー像先端と一致するように、タイミングをとり、感光ドラム２１と転写帯電器２４との間に搬送される。
【００４５】
画像形成部５によって画像の転写を受けた転写材Ｐは、モータＭ２によって駆動される定着ローラ３２と排紙ローラ３３とによって、さらに搬送され、記録紙排紙口切り替えスイッチ５０が、フェースダウン側であれば、記録紙フェースダウン排紙口５１からフェースダウン用転写材排紙トレイ３４上に排出される。記録紙排紙口切り替えスイッチ５０が、フェースアップ側であれば、記録紙フェースアップ排紙口５２から原稿／記録紙共用排紙トレイ１３に排出される。
【００４６】
なお、給紙部、排紙部には、それぞれレジセンサ３５、排紙センサ３６（不図示）が有り、転写材Ｐの到達または通過を検知している。転写材が所定の時間内に、各センサ部に到達または通過しない場合、転写材Ｐの搬送不良が生じたと判断し、その旨を表示する。
【００４７】
また、読取操作部５３は、開閉可能に取り付けられ、プロセスカートリッジ２８における転写材詰まりの取り除き処理と、トナーカートリッジ格納位置３８へのプロセスカートリッジ２８の着脱との際に用いられる。なお、読取操作部５３を開く際には、ドアリリースレバー３９を押し、ドアをリリースする必要があり、またプロセスカートリッジ２８における転写材詰まりを取り除く際は、記録ジャム処理用押圧解除レバー３７を操作し、押圧を解除する必要がある。
【００４８】
画像定着部７は、ヒータ４１、定着フィルム４２、定着加圧ローラ３２、排紙ローラ３３等によって構成されている。
【００４９】
ヒータ４１は、ヒータ４１に密着されているサーミスタ４３（不図示）の抵抗値変化によって、その表面温度を検知し、ヒータ４１の表面温度が一定になるように制御される。そして、その熱によって、定着フィルム４２が温められる。このヒータの熱容量は小さく、転写材Ｐが定着器に到達する前に、所定の定着温度に達する。
【００５０】
そして、画像形成部５において、トナー像の転写を受け、感光体ドラム２１から分離、搬送されてくる転写材Ｐが、ヒータ４１と定着加圧ローラ３２とによって形成される定着ニップ部に突入すると、定着加圧ローラ３２は、定着フィルム４２を介して、転写材Ｐ上の現像剤Ｔをヒータに圧接する。このときのヒータからの熱伝導によって現像剤Ｔは、軟化、溶融し、転写材に定着する。トナー像の定着を受けた転写材Ｐは、記録紙排紙口切り替えスイッチ５０に従って、排出される。
【００５１】
次に、現像剤Ｔの有無を検出する磁気ブリッジセンサ７０について説明する。
【００５２】
図７は、上記実施例における検知ヘッド７０ａの内部を示す図である。
【００５３】
検知ヘッド７０ａの内部には、図７に示すように、検知トランス７１が埋め込まれ、この検知トランス７１は、１つの１次巻線７２と、基準巻線７３ａと検知巻線７３ｂとからなる２つの２次巻線７３とによって構成されている。検知巻線７３ｂは、検知ヘッド７０ａの天面側に位置し、基準巻線７３ａは、１次巻線７２を挟んで検知ヘッド７０ａの裏側に位置している。
【００５４】
センサ本体内に設けられている発振器７４から、一定波形の信号をもつ電流が１次巻線７２に入力されると、基準巻線７３ａと検知巻線７３ｂとからなる２つの２次巻線７３にも、電磁誘導によって、ある波形の信号をもつ電流が流れる。
【００５５】
このときに、発振器７４からの一定波形の信号Ａと、検知巻線７３ｂから電磁誘導によって流れた電流の所定の波形の信号Ｂとを、センサ本体内に設けられている位相比較回路７５で判断し、信号Ｃを出力し、さらに、平滑回路７６を経て出力した信号Ｖｏｕｔによって、検知ヘッド７０ａの天面側に、どの程度の密度の磁性体があるかを検知する。すなわち、検知ヘッド７０ａの前に、磁性体がある場合と無い場合とで、異なった出力が得られる。また、このセンサは、検知しようとする磁性体の磁性密度等の違いに対応するために、検知トランス中心部に、フェライト性のネジコアを移動方向に設けてあり、このネジコアの位置を調節することによって、適正な検知が可能である。
【００５６】
次に、上記実施例において現像剤Ｔの有無を検出する方法について説明する。
【００５７】
上記実施例において、トナー室４０ａ内に収納されている現像剤Ｔの有無を、磁気ブリッジセンサ７０によって検出する。
【００５８】
図８は、上記実施例において、トナー室４０ａ内に収納されている現像剤Ｔの有無を、磁気ブリッジセンサ７０によって検出する状態を示す図である。
【００５９】
画像処理装置本体１内において、トナー室４０ａの底部近傍に検知ヘッド７０ａが対向するように、磁気ブリッジセンサ７０が設けられ、検知ヘッド７０ａは、現像剤Ｔがほぼ空になるところで、現像剤Ｔ無しを検出できるように取り付けられている。トナー室４０ａ内には、モータＭ２の動力を受けた不図示のギアによって、攪拌棒４０ｅが矢印の方向に回転し、トナー室４０ａから現像室４０ｂへ、現像剤Ｔが滞りなく運ばれる。
【００６０】
図９は、現像剤Ｔの残量と、磁気ブリッジセンサ７０のアナログ検出信号とを示す図である。
【００６１】
現像剤Ｔの残量は、図９（１）に示すように、最大充填時（Ｆｕｌｌ時）からしばらくの間は、時間の経過によらず、最も高い出力電圧（Ｖｍａｘ）を示す。現像剤Ｔの残量が、磁気ブリッジセンサ７０の取付位置付近になると、掻き落としシート４０ｆの影響によって、出力電圧は攪拌棒４０ｅの攪拌周期で出力変動を起こし、図９（２）に示すように、マイナス側のリップルを発生させながら、徐々にその出力電圧値を低下させる。
【００６２】
現像剤Ｔの残量が空であるとき（Ｅｍｐｔｙ時）は、図９（３）に示すように、安定して最も低い出力電圧（Ｖｍｉｎ）を示す。このため、現像剤Ｔが無くなる直前に、現像剤Ｔの残量に応じた出力を得ることができる。このようにして得られたセンサ出力に基づいて、現像剤Ｔの有無を判断する。
【００６３】
次に、上記実施例において、現像剤Ｔ無しの判断方法について説明する。
【００６４】
図１０は、上記実施例において、現像剤Ｔ無しを判断する説明図である。
【００６５】
磁気ブリッジセンサ７０そのものの出力ばらつき、画像処理装置本体１側からの供給電源電圧のばらつき、現像剤Ｔそのものの磁性のばらつき等によって、現像剤Ｔ無しの状態でのセンサ出力値（Ｖｏｕｔ）がばらつく。このために、現像剤Ｔ無しを判断するときのセンサ出力値（スライスレベル＝Ｖｓ）は、そのばらつき分を見込んで設定しなければならない。
【００６６】
しかし、現像剤Ｔの残量が磁気ブリッジセンサ７０の取付け位置付近では、掻き落としシート４０ｆの影響によって、攪拌棒４０ｅの回転周期で、出力電圧が、変動しながら低下するので、単純に、あるタイミング出力がＶｓ以下となったときに、現像剤Ｔ無しであると判断すると、現像剤Ｔの残量が磁気ブリッジセンサ７０の取付け位置付近まであるにも拘わらず、現像剤Ｔ無しと判断され、適正な現像剤Ｔ無しを判断することができない。
【００６７】
そこで、本実施例においては、センサ出力電圧を、一定の算出周期Ｔ（＝一定のサンプリング数ｎ）の平均値Ｖａｖｅ．として算出し、上記平均値Ｖａｖｅ．が、センサ出力値Ｖｓよりも小さくなったときに、初めて現像剤Ｔ無しであると判断する。
【００６８】
また、本実施例では、本体ＣＰＵが、センサ出力電圧をサンプリングする間隔（Δｔ）を、約０．６ｓｅｃ．とし、また、平均値Ｖａｖｅ．を算出するための算出周期（Ｔ）を、掻き落としシート４０ｆが回転する周期＝約４．３ｓｅｃ．とほぼ一致させ、ｎ＝８回分のサンプリング数での平均値の算出（すなわちＴ＝０．６×（８−１）＝約４．２ｓｅｃ．）としている。
【００６９】
掻き落としシート４０ｆの影響による出力変動の仕方は、比較的安定し、出力変動が起きている場合においても、周期Ｔの間隔における平均値Ｖａｖｅ．がセンサ出力値Ｖｓよりも小さくなったときに、初めて現像剤Ｔ無しであると判断することによって、現像剤Ｔ無しを適正に判断することができる。
【００７０】
上記のようにして検出した現像剤Ｔ無しの情報を、表示部１０に表示することによって、プロセスカートリッジ２８の点検をユーザに知らせ、カートリッジ交換を促すと同時に、画像処理装置ＩＰ１の記録動作を禁止し、記録画像の印字かすれによる画像情報の欠落を防止している。
【００７１】
次に、磁気ブリッジセンサ７０の当接手段について、詳しく説明する。
【００７２】
図１１は、上記実施例において、読取操作部５３を開けたときの状態を示す図である。
【００７３】
図１２は、上記実施例において、読取操作部５３を閉じたときの状態を示す図である。
【００７４】
図１１において、読取操作部５３に連動して矢印ａ、ｂ方向に移動可能な連動部材７８が、連動部材７８の一端に取り付けられている連動バネ７９による矢印ｃ方向の力によって、センサホルダ８２と連動部材７８とを連結する連結シート８０にテンションが発生し、連動バネ７９の力がセンサホルダ８２に作用し、付勢バネ８１による矢印ｄ方向の力に打ち勝って、センサホルダ８２の揺動を拘束し、磁気ブリッジセンサ７０が現像壁部材７７から離間する方向に、センサホルダ８２を回動させる。
【００７５】
上記のように、読取操作部５３を開いた状態では、磁気ブリッジセンサ７０が現像壁部材７７ｂとの当接位置から退避しているので、検知ヘッド７０ａの検知面７０ａ１と現像壁部材７７の凹部７７ａとが擦り合うことなく、プロセスカートリッジ２８を着脱することができ、接触面の摩耗を防止することができ、プロセスカートリッジ２８の度重なる着脱に対しても、センサ７０の耐久性を格段に向上させることができる。
【００７６】
なお、磁気ブリッジセンサ７０がプロセスカートリッジ２８と接触していないので、磁気ブリッジセンサ７０からみて現像剤Ｔは存在せず、このために、出力は、Ｖｓよりも小さく、現像剤Ｔが無しであると判断される。
【００７７】
読取操作部５３を閉めたときには、図１２に示すように、読取操作部５３のリブ部８４ａが、連動バネ７９の付勢力に抗して、矢印ｂ方向に連動部材７８を押すと、センサホルダ８２に作用する付勢バネ８１の付勢力によって、２点鎖線で示す位置から矢印ｅ方向に、磁気ブリッジセンサ７０が回転し、実線で示すように、検知ヘッド７０ａの検知面７０ａ１が、現像壁部材７７の凹部７７ａに当接し、トナー室４０ａ内の現像剤Ｔの有無を検知することができる。
【００７８】
このときに、読取操作部５３が完全に閉まった状態では、連動部材７８の移動量が、センサホルダ８２の回転量よりも大きく設定してあり、連結シート８０にたるみが生じ、このたるみによって、連動バネ７９の付勢力が、センサホルダ８２に作用しない。
【００７９】
上記のようにして、磁気ブリッジセンサ７０は、付勢バネ８１の付勢力のみによって、極めて安定した当接力で、現像壁部材７７に当接され、信頼性の高いトナー有無（残量）検出を実現することができる。
【００８０】
図１３、図１４は、上記実施例において、プロセスカートリッジ２８の交換や転写材のジャム処理等のために、読取操作部５３を開いている状態を示す図である。
【００８１】
読取操作部５３を閉じている場合、読取操作部５３に取り付けてある突起５５（図３）が、ＳＷ５４のレバー５４ａを押し、ＳＷ５４はＯＮ状態になっている。読取操作部５３を開いた場合、読取操作部５３に取り付けてある突起５５が、図１４（２）に示すように、ＳＷ５４のレバー５４ａを押さなくなった時点で、ＳＷ５４がＯＦＦ状態になる。ＳＷ５４の機能については、後で詳細に説明する。
【００８２】
上記のように、読取操作部５３を開いた場合、ＳＷ５４がＯＦＦ状態になるとともに、磁気ブリッジセンサ７０がプロセスカートリッジ２８に当接しないので、プロセスカートリッジ２８内の現像剤Ｔの有無に関わらず、磁気ブリッジセンサ７０は、現像剤Ｔが無しであると検出する。また、読取操作部５３を閉じた場合、ＳＷ５４がＯＮ状態になり、磁気ブリッジセンサ７０は、プロセスカートリッジ２８に当接しているので、磁気ブリッジセンサ７０は、プロセスカートリッジ２８に現像剤Ｔがあるか否かを正しく検出することができる。
【００８３】
次に、画像処理装置ＩＰ１の構成と動作とについて説明する。
【００８４】
図１５は、画像処理装置ＩＰ１を示すブロック図である。
【００８５】
画像処理装置ＩＰ１において、マイクロプロセッサユニット（ＭＰＵ）１０１は、記録部１１２の各動作を含む画像処理装置ＩＰ１全体を制御し、システムバス１０２を介して、画像処理装置ＩＰ１の全体を制御する。磁気ブリッジセンサ７０が出力する信号も、最終的にはＭＰＵ１０１において処理される。
【００８６】
ＲＯＭ１０３は、ＭＰＵの動作のためのインストラクション群等のプログラムコード、オペレーティングシステム（ＯＳ）プログラムコード、初期値データ、テーブルデータ等を格納しているＲＯＭである。
【００８７】
ＤＲＡＭ１０４は、画像バッファと画像メモリとに使用されるＤＲＡＭであり、通信部１２１との間で送受信する際における画像データと、情報処理端末１３１との間で送受信する際のデータとを、一時的に保持するバッファとして使用される。また、通信部１２１を介して受信された画像データ、読取部１０６から読み取られた画像データ、情報処理端末１３１から送られてきた画像データ（ダウンロードファイル、アップロードファイル、通信管理情報）を、ファイルとして蓄積するためのメモリとして使用される。ＤＲＡＭ１０４は、バッテリバックアップによって停電等の不慮の障害などから保護されている。
【００８８】
ＳＲＡＭ１０５は、ユーザ登録データエリア、ワークエリア等に使用され、バッテリバックアップによって、停電等の不慮の障害等から保護されている。
【００８９】
読取部１０６は、密着型イメージセンサ１０７、読取画像補正部１０８、読取画像処理部１０９、読取駆動部１１０、ＳＲＡＭ１１１等によって構成されている。
【００９０】
まず、読取駆動部１１０を駆動することによって原稿を搬送し、密着型イメージセンサ１０７によって光学的に読み取り、電気的な画像信号に変換する。この信号を、読取画像補正部１０８がシェーディング補正等を施し、さらに、読取画像処理部１０９が２値化処理、中間調処理等の画像処理を施し、高精細な画像データを出力する。ＳＲＡＭ１１１は、画像処理を行う際のバッファとして使用される。
【００９１】
なお、本実施例における読取部１０６は、原稿を搬送しながら読み取りを行うシート読み取り制御としているが、原稿台に存在している原稿をスキャンするブック読み取り制御であってもよい。
【００９２】
記録部１１２は、ＳＲＡＭ１１１、記録画像復号化部１１３、記録画像処理部１１４、レーザビームプリンタエンジン１１６等によって構成されている。
【００９３】
記録画像復号化部１１３は、ランレングス（ＲＬ）形式の画像データを生画像（ＲＡＷ）データにデータ変換する。この際に、参照ラインバッファ用として、ＳＲＡＭ１１１のうちの１ライン分のサイズ（６４８バイト×１ライン）を使用する。
【００９４】
記録画像処理部１１４は、走査解像度８ｐｅｌ／ｍｍまたは１６ｐｅｌ／ｍｍの生画像データを、プリンタの主走査解像度６００ｄｐｉ（ｄｏｔｓ　ｐｅｒ　ｉｎｃｈ）の生画像データに変換するために、解像度変換し、画像の変倍、スムージング、濃度補正等の各種画像処理を施し、高精細な画像データに変換し、レーザビームプリンタに出力する。この際に、画像処理を行う前の生画像データ用として、ＳＲＡＭ１１１のうちの２ライン分のサイズ（６４８バイト×２ライン）を使用する。
【００９５】
操作部１１８は、ダイヤルするときやデータを登録、設定するとき等に用いるテンキー、各種機能を利用するためのファンクションキー、電話番号等を登録しておきワンタッチでダイヤルするため等に用いるワンタッチキー、送信や受信、コピー等を始めるときに用いるスタートキー、送信、登録や設定等の動作を中止したいときに用いるストップキー等の各種キースイッチ等によって構成され、画像処理装置ＩＰ１の動作指示と各種情報の入力とを行う。
【００９６】
表示部１１９は、通信状況の確認やデータの登録、設定、確認メッセージ等、各種メッセージの表示を行うＬＣＤ、通信中に点灯するランプ、各種エラー時に点灯するランプ、読取モードや送信モード等の表示を行うランプ等の各種ＬＥＤ等によって構成され、装置の状態、発呼する相手の電話番号、時刻情報、操作手順等の表示を行う。
【００９７】
パネルインタフェース部１２０は、ＭＰＵ１０１と、操作部１１８、表示部１１９との連携を取るインタフェースである。
【００９８】
通信部１２１は、ＤＳＵ（回線接続装置）、ＮＣＵ（網制御装置）等の通信接続部１２２、モデム（変復調装置）等の通信制御部１２３によって構成されるものであり、ＰＳＴＮ回線・ＩＳＤＮ回線等の通信網１２４に接続してＧ３、Ｇ４のプロトコルによって通信制御、通信回線に対する発呼と着呼との回線制御を行うものである。また、通信部１２１は、電話機１２５を接続し、通信やＤＴＭＦリモート制御等を行うことも可能である。
【００９９】
音響装置１２６は、エラー状態を示す音響、動作終了を示す音響、操作を促す音響等を鳴らすためのスピーカ等によって構成され、各種状態を音響によってオペレータに通知するものである。
【０１００】
外部インタフェース部１２７は、ＭＰＵ１０１と情報処理端末１３１との間のデータ送受信を行い、情報処理端末１３１から画像処理装置ＩＰ１を制御する。たとえば、読取部１０６で原稿を読み取った画像データと、通信部１２１を経由して受信した画像データとを、情報処理端末１３１にアップロードし、加工をしたり、逆に、情報処理端末１３１において加工された画像データを、画像処理装置ＩＰ１にダウンロードし、記録部１１２によって記録を行ったり、通信部１２１を経由して送信することができるようになる。
【０１０１】
これらインタフェースは、ＲＳ２３２Ｃ、ＩＥＥＥ　Ｐ１２８４、ＳＣＳＩ、ＬＡＮ、ＵＳＢ、ＩＥＥＥ１３９４等を介して行われるが、本実施例の形態は、ＩＥＥＥ　Ｐ１２８４規格に記載されている双方向パラレルインタフェースに準拠したインタフェース仕様としている。また、情報処理端末１３１には、リモート操作を行うためのアプリケーションソフトとドライバソフトとがインストールされている。
【０１０２】
不揮発性記憶装置１２８は、画像情報等の保存に使用される大容量の不揮発性のメモリである。この不揮発性記憶装置１２８は、電源が切れても情報が消えることがなく、消去命令があった場合に消去されるものであり、ハードディスクや光ディスク等とそのドライブとによって構成されている。
【０１０３】
画像符号／復号部１２９は、ＭＨ、ＭＲ、ＭＭＲ、ＪＰＥＧ符号等の画像データの符号化・復号化を行い、画像復号化部１２９ａ、画像符号化部１２９ｂ、ＳＲＡＭ１２９ｃによって構成されている。
【０１０４】
電源供給部１３０は、画像処理装置ＩＰ１に電源を供給する電源供給部である。情報処理端末１３１は、外部に接続されるパーソナルコンピュータやワードプロセッサ等の情報処理端末である。
【０１０５】
外部インタフェース信号線１３２は、外部データ信号線１３２ａ、外部制御信号線１３２ｂ、外部応答信号線１３２ｃによって構成されている。外部データ信号線１３２ａは、情報処理端末１３１との間で、外部インタフェース部１２７によって、データ転送を行うデータバスである。外部制御信号線１３２ｂは、情報処理端末１３１側が制御する信号線であり、ＩＥＥＥ　Ｐ１２８４規格に記載されているｎＳｅｌｅｃｔＩｎ信号、ｎＳｔｒｏｂｅ信号、ｎＡｕｔｏＦｄ信号、ｎＩｎｉｔ信号等が該当する。また、外部応答信号線１３２ｃは、外部インタフェース部１２７側が制御する信号線であり、ＩＥＥＥ　Ｐ１２８４規格に記載されているＢｕｓｙ信号、ｎＡｃｋ信号、ｎＦａｕｌｔ信号、ＰＥｒｒｏｒ信号、Ｓｅｌｅｃｔ信号等が該当する。各信号線の動作は、ＩＥＥＥ　Ｐ１２８４規格に準拠し、情報処理端末１３１と外部インタフェース部１２７との間では、双方向のデータ転送が可能である。
【０１０６】
図１６は、画像処理装置ＩＰ１の電気回路を示す概略図である。
【０１０７】
画像処理装置ＩＰ１において、交流電源２０１と、低圧電源部２０２とを有する。低圧電源部２０２は、交流電源２０１から電力供給を受け、装置の各部が必要とする電圧に変換し、電源を供給する。
【０１０８】
制御回路２０３は、画像処理装置ＩＰ１の制御を行うＣＰＵと基準クロックを生成する回路とを含む。
【０１０９】
ヒータ制御回路２０４は、ヒータ４１への通電を制御する。サーミスタ４３は、ヒータ４１の温度を検出する。原稿センサ２ｘは、原稿Ｓの有無を検出可能なセンサである。磁気ブリッジセンサ７０は、現像剤Ｔの有無を検出するセンサである。通信部１２１は、通信網１２４と電話器１２５とを接続して制御する。パネルインタフェース１２０は、操作部１１８の操作信号を制御する。
【０１１０】
外部インタフェース部１２７は、外部の情報処理端末１３１とのインタフェースを行う。一次帯電用高圧電源３０１は、一次帯電器２２に一次帯電電圧を出力する。現像用高圧電源３０２は、現像器２３に現像電圧を出力する。転写用高圧電源３０３は、転写帯電器２４に転写電圧を出力する。直流電源３０４は、１次帯電、現像、転写用各電源に電源供給する。ＦＥＴ３０５は、Ｖｃｃ２を３０８に伝えるか否かを制御する。トランジスタ３０６は、ＦＥＴ３０５のオン・オフを制御するトランジスタであり、制御回路２０３からの第１電源オン信号によって制御される。
【０１１１】
ＳＷ５４は、読取操作部５３を閉じた時にＯＮ、開いた時にＯＦＦになるＳＷであり、電源３０８を電源３０４に供給するか否かを制御する。電圧変換部３０７は、電源３０４の活性状態を制御回路２０３に伝達するための電圧変換部であり、電源３０４が活性状態である場合は、ドアオープンクローズ信号をＨレベルとし、電源３０４が非活性状態である場合は、ドアオープンクローズ信号をＬレベルとする。
【０１１２】
ここで、制御回路２０３は、低消費電力モードから通常動作モードに復帰するためのタイミングをはかるための入力端子２０３ａ（不図示）を有し、この入力端子２０３ａは、外部インタフェース１２７からの起動信号、原稿センサ２ｘからのセンサ信号、パネルインタフェースからのキー信号、通信部１２１からのオフフック信号およびＣＩ信号、磁気ブリッジセンサ７０からのトナー無し信号を復帰信号として受け入れる。制御回路２０３は、入力端子２０３ａにおける復帰信号の状態を検出し、通常動作モード・低消費電力モード間の移行を制御する回路である。
【０１１３】
たとえば、装置の読み取り・記録・電話回線を使用した通信、外部情報処理端末との通信の他、エラーや故障がいずれも動作していないときに、低消費電力動作モードへの移行が実行される。つまり、読取操作部５３が開いている場合や、磁気ブリッジセンサ７０がプロセスカートリッジ２８内の現像剤Ｔ無しを検出している場合には、低消費電力モードには移行しない。低消費電力モード移行時には、トランジスタ３０６へ動作停止指示（第１電源オン信号のＬレベル状態）が送出され、ＦＥＴ３０５をＯＦＦ、電源３０８を非活性状態にする。
【０１１４】
また、交流電源２０１を一旦切り離して再接続するか、画像処理装置ＩＰ１をコピー・ＰＣプリント・ＦＡＸ送受信・ＦＡＸ予約・電話通話・エラー・故障のいずれかの状態とすれば、低消費電力モードから通常動作モードへ復帰する。ここで、エラー状態には、読取操作部５３の開放状態と現像剤Ｔの無し検出とを含む。これらの開始は、復帰信号によって判断され、トランジスタ３０６へ動作指示（第１電源オン信号のＨレベル状態）が送出され、ＦＥＴ３０５をＯＮ、電源３０８を活性状態とする。
【０１１５】
ここで、通常動作モードにおいて、電源３０８が活性状態であるので、読取操作部５３が閉じ（＝ＳＷ５４がクローズになり）、ドアオープンクローズ信号がＨレベルになる。
【０１１６】
一方、読取操作部５３が開いている（＝ＳＷ５４がオープンである）ときに、ドアオープンクローズ信号がＬレベルになる。このために、制御回路２０３は、ドアオープンクローズ信号のレベルをみて、読取操作部５３の開閉状態を判断する。
【０１１７】
また、低消費電力動作モードにおいて、電源３０８が非活性状態であるので、ＳＷ５４の状態にかかわらず、電源３０４も非活性状態になる。よって、読取操作部５３の開閉状態に関わらず、電圧変換部３０７から制御回路２０３に送られるドアオープンクローズ信号は、常にＬになる。つまり、低消費電力動作モードにおいては、読取操作部５３が開いたことを、ＳＷ５４によって検出することができない。このために、制御回路２０３は、磁気ブリッジセンサ７０の出力信号がＬレベルであった場合に、プロセスカートリッジ２８内の現像剤Ｔが無しか、またはプロセスカートリッジ２８に磁気ブリッジセンサ７０が当接していないと判断し、通常動作モードに移行する。
【０１１８】
通常動作モードに移行すると、電源３０８が活性状態になるので、ドアオープンクローズ信号は、ＳＷ５４の状態を示す。よって、制御部２０３は、ドアオープンクローズ信号によって読取操作部５３の開閉状態を判断することができる。
【０１１９】
次に、画像処理装置ＩＰ１の動作について説明する。
【０１２０】
図１７、図１８、図１９、図２０は、画像処理装置ＩＰ１の動作を示すフローチャートである。
【０１２１】
まず、Ｓ１０１では、画像処理装置ＩＰ１の電源をＯＮすると、Ｓ１０２では、低圧電源部２０２が立ち上がる。Ｓ１０３では、制御回路２０３が動作を開始し、Ｓ１０４では、ＦＥＴ３０５がＯＮする。この状態は、通常動作モードである。その後、Ｓ１０５では、制御回路２０３がＳＷ５４の状態を検出するために、ドアオープンクローズ信号の論理がＬレベルであるか否かをチェックする。ドアオープンクローズ信号の論理がＬレベルであれば、読取操作部５３が開いた状態であると判断し、Ｓ１０８では、ドアオープンフラグをセットし、Ｓ１０９では、トナー無しフラグをリセットし、Ｓ１０７に進む。
【０１２２】
Ｓ１０５において、ドアオープンクローズ信号の論理がＨレベルであれば、読取操作部５３が閉じた状態であると判断し、Ｓ１０６では、ドアオープンフラグをクリアする。その後に、Ｓ１６０では、磁気ブリッジセンサ７０が現像剤Ｔの無しレベルであるか否かを検出し、無しレベルであれば、トナー無し状態であると判断し、Ｓ１６１では、トナー無しフラグをセットし、Ｓ１０７に進む。
【０１２３】
Ｓ１６０において、磁気ブリッジセンサ７０が現像剤Ｔの有りレベルであれば、Ｓ１６６では、トナー無しフラグをリセットし、Ｓ１０７に進む。その後に、Ｓ１０７では、原稿センサ２ｘのＬレベルを検出し、Ｌレベルであれば、読取操作部５３が閉じた状態であるので、原稿Ｓが有ると判断し、Ｓ１１０では、原稿処理フラグをセットし、Ｓ１１１に進む。
【０１２４】
Ｓ１０７において、原稿センサ２ｘがＨレベルであれば、そのままＳ１１１に進む。Ｓ１１１では、ＣＩ信号の入力有りか否かを検出する。ＣＩ信号を検出すれば、Ｓ１１２では、ＣＩ信号検出処理フラグをセットし、Ｓ１１３に進む。Ｓ１１１において、ＣＩ信号を検出していなければ、そのままＳ１１３に進む。Ｓ１１３では、電話機のオフフックを検出する。オフフックを検出すれば、Ｓ１１４では、オフフック検出処理フラグをセットし、Ｓ１１５に進む。
【０１２５】
Ｓ１１３において、オフフックを検出していなければ、そのままＳ１１５に進む。Ｓ１１５では、キー入力有りか否かを検出する。キー入力が有れば、Ｓ１１６では、キー入力処理フラグをセットし、Ｓ１１７に進む。
【０１２６】
Ｓ１１５において、キー入力を検出していなければ、そのままＳ１１７に進む。Ｓ１１７では、情報処理端末１３１からの起動信号が有るか否かを検出する。起動信号が有れば、Ｓ１１８では、外部起動処理フラグをセットし、Ｓ１１９に進む。Ｓ１１７において、起動信号無しならば、そのままＳ１１９に進む。Ｓ１１９では、原稿処理フラグがセットされているか否かをチェックする。Ｓ１１９において、原稿処理フラグがセットされていなければ、Ｓ１２３に進む。Ｓ１１９において、原稿処理フラグがセットされていれば、Ｓ１２０に進み、原稿処理終了であるか否かをチェックする。Ｓ１２０において、原稿処理が終了ならば、Ｓ１２２では、原稿処理フラグをクリアし、Ｓ１２３に進む。Ｓ１２０において、原稿処理終了でなければ、Ｓ１２１では、原稿処理を行い、Ｓ１２３に進む。「原稿処理」は、読み取り作業、読み取った画像をコピー、ＦＡＸ送信、ＰＣスキャン等を行う作業を含む。
【０１２７】
Ｓ１２３では、ＣＩ信号検出処理フラグがセットされているか否かをチェックする。Ｓ１２３において、ＣＩ信号検出処理フラグがセットされていなければ、Ｓ１２７に進む。Ｓ１２３において、ＣＩ信号検出処理フラグがセットされていれば、Ｓ１２４に進み、ＣＩ処理が終了であるか否かをチェックする。Ｓ１２４において、ＣＩ処理終了ならば、Ｓ１２６では、ＣＩ信号検出処理フラグをクリアし、Ｓ１２７に進む。
【０１２８】
Ｓ１２４において、ＣＩ処理が終了でなければ、Ｓ１２５では、ＣＩ処理を行い、Ｓ１２７に進む。「ＣＩ処理」は、電話の呼び出し・通話、ＦＡＸの呼び出し・ＦＡＸのポーリング送信、ＦＡＸ受信およびそのプリント処理ｏｒＰＣへのアップロード処理等を含む。Ｓ１２７では、オフフック検出処理フラグがセットされているか否かをチェックする。Ｓ１２７において、オフフック検出処理フラグがセットされていなければ、Ｓ１３１に進む。Ｓ１２７において、オフフック検出処理フラグがセットされていれば、Ｓ１２８に進み、オフフック処理が終了であるか否かをチェックする。
【０１２９】
Ｓ１２８において、オフフック処理が終了であれば、Ｓ１３０では、オフフック検出処理フラグをクリアし、Ｓ１３１に進む。Ｓ１２８において、オフフック処理が終了でなければ、Ｓ１２９では、オフフック処理を行い、Ｓ１３１に進む。「オフフック処理」は、電話機による発信と送受話とを含む処理である。
【０１３０】
Ｓ１３１では、キー入力処理フラグがセットされているか否かをチェックする。Ｓ１３１において、キー入力処理フラグがセットされていなければ、Ｓ１３５に進む。Ｓ１３１において、キー入力処理フラグがセットされていれば、Ｓ１３２に進み、キー入力処理が終了であるか否かをチェックする。
【０１３１】
Ｓ１３２において、キー入力処理が終了であれば、Ｓ１３４では、キー入力処理フラグをクリアし、Ｓ１３５に進む。Ｓ１３２において、キー入力処理終了でなければ、Ｓ１３３では、キー入力処理を行い、Ｓ１３５に進む。
【０１３２】
「キー入力処理」は、キーの入力作業とそのキー入力操作によって発生する動作との全てを含み、たとえばコピー動作、ＦＡＸの送信動作、ＦＡＸのポーリング受信動作とそのプリントとを含む。Ｓ１３５では、外部起動処理フラグがセットされているか否かをチェックする。Ｓ１３５において、外部起動処理フラグがセットされていなければ、Ｓ１６５に進む。Ｓ１３５において、外部起動処理フラグがセットされていれば、Ｓ１３６に進み、外部起動処理が終了であるか否かをチェックする。
【０１３３】
Ｓ１３６において、外部起動処理が終了であれば、Ｓ１３８では、外部起動処理フラグをクリアし、Ｓ１６５に進む。Ｓ１３６において、外部起動処理が終了でなければ、Ｓ１３７では、外部起動処理を行い、Ｓ１６５に進む。「外部起動処理」は、ＰＣからのプリント動作、ＰＣへのスキャン画像およびＦＡＸ受信画像のアップロード動作を含む。
【０１３４】
Ｓ１６５では、ドアオープンフラグがセットされているか否かを検出する。Ｓ１６５において、ドアオープンフラグがセットされていなければ、Ｓ１６７に進む。Ｓ１６５において、ドアオープンフラグがセットされていれば、Ｓ１６６では、読取操作部５３が開放状態であることを、表示部１１９に表示し、ユーザに報知し、Ｓ１６７に進む。Ｓ１６７では、トナー無しフラグがセットされているか否かを検出する。Ｓ１６７において、トナー無しフラグがセットされていなければ、Ｓ１３９に進む。Ｓ１６７において、トナー無しフラグがセットされていれば、Ｓ１６８では、現像剤Ｔが無し状態であることを、表示部１１９に表示し、ユーザに報知し、Ｓ１３９に進む。
【０１３５】
Ｓ１３９では、原稿処理フラグがセットされているか否かを検出する。セットされていれば、Ｓ１０５に戻って、動作を繰り返す。Ｓ１３９において、原稿処理フラグがセットされていなければ、Ｓ１４０に進み、ＣＩ信号検出処理フラグがセットされているか否かを検出する。ＣＩ信号検出処理フラグがセットされていれば、Ｓ１０５に戻り、動作を繰り返す。Ｓ１４０において、ＣＩ信号検出処理フラグがセットされていなければ、Ｓ１４１に進み、オフフック検出処理フラグがセットされているか否かを検出する。セットされていれば、Ｓ１０５に戻って動作を繰り返す。Ｓ１４１において、オフフック検出処理フラグがセットされていなければ、Ｓ１４２に進み、キー入力処理フラグがセットされているか否かを検出する。
【０１３６】
キー入力処理フラグがセットされていれば、Ｓ１０５に戻り、動作を繰り返す。Ｓ１４２において、キー入力処理フラグがセットされていなければ、Ｓ１４３に進み、外部起動処理フラグがセットされているか否かを検出する。セットされていれば、Ｓ１０５に戻り、動作を繰り返す。
【０１３７】
Ｓ１４３において、外部起動処理フラグがセットされていなければ、Ｓ１４４に進み、ドアオープンフラグがセットされているか否かを検出する。ドアオープンフラグがセットされていれば、Ｓ１０５に戻り、動作を繰り返す。Ｓ１４４において、ドアオープンフラグがセットされていなければ、Ｓ１６２に進み、トナー無しフラグがセットされているか否かを検出する。セットされていれば、Ｓ１０５に戻って動作を繰り返す。Ｓ１６２においてトナー無しフラグがセットされていなければ、Ｓ１４５に進む。
【０１３８】
Ｓ１４５では、ＦＥＴ３０５をオフする。Ｓ１４５に移行する条件は、画像処理装置ＩＰ１がコピー・ＰＣプリント・ＦＡＸ送受信・ＦＡＸ予約・電話通話・エラー・故障のいずれの状態でもないことである。これによって、画像処理装置ＩＰ１は、低消費電力モードに移行し、読取操作部５３の開閉（すなわちＳＷ５４のＯＮ／ＯＦＦ）にかかわらず、ドアオープンクローズ信号はＬレベルになる。
【０１３９】
続いて、Ｓ１４６では、原稿センサ２ｘがＬレベルであるか否かを検出する。原稿センサ２ｘがＬレベルであれば、原稿Ｓがセットされたと判断し、Ｓ１５４では、原稿処理フラグをセットし、Ｓ１５９に進む。Ｓ１４６において、原稿センサ２ｘがＨレベルであれば、Ｓ１４７に進む。Ｓ１４７では、ＣＩ信号の入力が有るか否かを検出する。ＣＩ信号を検出すれば、Ｓ１５５では、ＣＩ信号検出処理フラグをセットし、Ｓ１５９に進む。
【０１４０】
Ｓ１４７において、ＣＩ信号を検出していなければ、そのままＳ１４８に進む。Ｓ１４８では、電話機のオフフックを検出する。オフフックを検出すれば、Ｓ１５６では、オフフック検出処理フラグをセットし、Ｓ１５９に進む。Ｓ１４８において、オフフックを検出していなければ、そのままＳ１４９に進む。Ｓ１４９では、キー入力が有るか否かを検出する。キー入力が有れば、Ｓ１５７では、キー入力処理フラグをセットし、Ｓ１５９に進む。
【０１４１】
Ｓ１４９において、キー入力を検出していなければ、そのままＳ１５０に進む。Ｓ１５０では、情報処理端末１３１からの起動信号が有るか否かを検出する。起動信号があれば、Ｓ１５８では、外部起動処理フラグをセットし、Ｓ１５９に進む。Ｓ１５０において、起動信号無しならば、そのままＳ１６３に進む。Ｓ１６３では、磁気ブリッジセンサ７０が現像剤無しレベルか否かを検出する。無しレベルならば、Ｓ１５１に進む。
【０１４２】
Ｓ１５１では、ＦＥＴ３０５をＯＮにして、画像処理装置ＩＰ１を通常動作モードにするので、読取操作部５３の開閉状態（すなわちＳＷ５４のＯＦＦ／ＯＮ状態）がドアオープンクローズ信号に反映されるようになる。そして、Ｓ１５２では、ドアオープンクローズ信号がＬレベルであるか否かをチェックする。Ｌレベルであれば読取操作部５３が開いている状態であると判断し、Ｓ１５３では、ドアオープンフラグをセットし、Ｓ１０５に戻る。Ｓ１５２において、ドアオープンクローズ信号がＨレベルであれば、Ｓ１６４では、トナー無しフラグをセットし、Ｓ１０５に戻る。Ｓ１６３において、磁気ブリッジセンサ７０が、現像剤有りレベルを検出すれば、Ｓ１４６に戻る。
【０１４３】
上記実施例によれば、画像処理装置ＩＰ１において、待機状態における消費電力を削減することができ、また、低コストを実現しながら、待機状態に画像処理装置ＩＰ１のカバー開閉を検出することができる。
【０１４４】
また、上記実施例によれば、状態検出手段が上記メカニカルスイッチのオン状態を示し、しかも上記センサ手段が上記開閉カバーの開放または上記現像剤無しのいずれかの状態であることを検出した場合、上記制御回路は、上記開閉カバーは閉じた状態であり、しかも現像剤は無しであると判断するので、センサ手段が２つの異なる対象のどちらを検出したのか判別することができる。
【０１４５】
さらに、上記実施例によれば、上記状態検出手段が上記メカニカルスイッチのオン状態を示し、しかも上記センサ手段が上記開閉カバーの開放または上記現像剤無しのいずれかの状態でないことを検出した場合、上記制御回路は、上記開閉カバーは閉じた状態であり、しかも上記現像剤は有りであると判断するので、センサ手段が２つの異なる対象のどちらを検出したのか判別することができる。
【０１４６】
そして、上記実施例によれば、上記低圧電源部と上記メカニカルスイッチとの間に接続され、上記制御回路部の制御のもとで、上記低圧電源部から上記メカニカルスイッチに供給される上記直流電圧のオン・オフを制御する半導体スイッチング素子を有する場合、上記制御回路は、画像処理装置のスタンバイ中は上記半導体スイッチング素子をオフとし、画像処理装置の動作中は上記半導体スイッチング素子をオンするので、低消費電力で待機することができる。
【０１４７】
また、上記実施例によれば、上記制御回路部は、上記半導体スイッチング素子がオフであり、しかも上記センサ手段が上記開閉カバーの開放または上記現像剤の無しのいずれかの状態であることを検出したときに、上記半導体スイッチング素子をオンするので、低消費電力動作モード時に開閉カバーが開いたことを検出することができる。
【０１４８】
さらに、上記実施例によれば、上記制御回路部は、上記半導体スイッチング素子がオフであり、しかも上記センサ手段が上記開閉カバーの開放または上記現像剤の無しのいずれかの状態であることを検出したときに、上記半導体スイッチング素子をオンにした後に、上記状態検出手段を評価し、上記状態検出手段が上記メカニカルスイッチのオフ状態を検出した場合は、上記開閉カバーが開放ししかも上記現像剤有りと判断し、上記状態検出手段が上記メカニカルスイッチのオン状態を示す場合は、上記開閉カバーが閉じしかも上記現像剤無しと判断するので、センサ手段が２つの異なる対象のどちらを検出したのかを判別することができる。
【０１４９】
【発明の効果】
本発明によれば、画像処理装置において、待機状態における消費電力を削減することができ、また、低コストを実現しながら、待機状態に画像処理装置のカバー開閉を検出することができるという効果を奏する。
【図面の簡単な説明】
【図１】発明の一実施例である画像処理装置ＩＰ１の外観図である。
【図２】画像処理装置ＩＰ１の要部断面図である。
【図３】画像処理装置ＩＰ１において、プロセスカートリッジ２８の交換や転写材のジャム処理等のために読取操作部５３を開いた状態を示す要部断面図である。
【図４】上記実施例における光学部４の概略を示す図である。
【図５】上記実施例において、原稿搬送部２と読取部３との要部を示す断面図である。
【図６】上記実施例における磁気ブリッジセンサ７０を示す斜視図である。
【図７】上記実施例における検知ヘッド７０ａの内部を示す図である。
【図８】上記実施例において、トナー室４０ａ内に収納されている現像剤Ｔの有無を、磁気ブリッジセンサ７０によって検出する状態を示す図である。
【図９】現像剤Ｔの残量と、磁気ブリッジセンサ７０のアナログ検出信号とを示す図である。
【図１０】上記実施例において、現像剤Ｔ無しを判断する説明図である。
【図１１】上記実施例において読取操作部５３を開けたときの状態を示す図である。
【図１２】上記実施例において読取操作部５３を閉じたときの状態を示す図である。
【図１３】上記実施例において、プロセスカートリッジ２８の交換や転写材のジャム処理等のために、読取操作部５３を開いている状態を示す図である。
【図１４】上記実施例において、プロセスカートリッジ２８の交換や転写材のジャム処理等のために、読取操作部５３を開いている状態を示す図である。
【図１５】画像処理装置ＩＰ１を示すブロック図である。
【図１６】画像処理装置ＩＰ１の電気回路を示す概略図である。
【図１７】画像処理装置ＩＰ１の動作を示すフローチャートである。
【図１８】画像処理装置ＩＰ１の動作を示すフローチャートである。
【図１９】画像処理装置ＩＰ１の動作を示すフローチャートである。
【図２０】画像処理装置ＩＰ１の動作を示すフローチャートである。
【符号の説明】
ＩＰ１…画像処理装置、
１…画像処理装置本体、
２…原稿搬送部、
３…読取部、
４…光学部、
５…画像形成部、
６…転写材搬送部、
７…画像定着部、
８…通信部
９…操作部、
１０…表示部、
１１…制御部。
【図１】
2004077830.tif 000003
【図２】
2004077830.tif 000004
【図３】
2004077830.tif 000005
【図４】
2004077830.tif 000006
【図５】
2004077830.tif 000007
【図６】
2004077830.tif 000008
【図７】
2004077830.tif 000009
【図８】
2004077830.tif 000010
【図９】
2004077830.tif 000011
【図１０】
2004077830.tif 000012
【図１１】
2004077830.tif 000013
【図１２】
2004077830.tif 000014
【図１３】
2004077830.tif 000015
【図１４】
2004077830.tif 000016
【図１５】
2004077830.tif 000017
【図１６】
2004077830.tif 000018
【図１７】
2004077830.tif 000019
【図１８】
2004077830.tif 000020
【図１９】
2004077830.tif 000021
【図２０】
2004077830.tif 000022